(57)【要約】【課題】優先度が高い他のジョブの進行を阻害すること無く、縮小画像データを準備し、縮小画像を迅速に表示することができる低コストの画像読取装置を提供する。【解決手段】原稿を読み取って取得した画像データを記録媒体に記録し、記録された画像データの内容を縮小画像にて閲覧可能に構成してある画像読取装置に、記録媒体への画像データの記録を監視する監視手段と、記録媒体に画像データが記録された場合、画像データに関する所定処理を実行する画像処理手段の負荷を検出する負荷検出手段と、該負荷検出手段によって検出した負荷が所定負荷以上であるか否かを判定する負荷判定手段と、該負荷判定手段が否と判定した場合、前記記録媒体に記録された画像データに基づいて縮小画像のデータを生成する縮小画像生成手段と、該縮小画像生成手段が生成したデータを記録媒体に記録する手段とを備える。【選択図】図１
2008271136.tif 000002
【特許請求の範囲】
【請求項１】
原稿を読み取って取得した画像データを記録媒体に記録し、記録された画像データの内容を縮小画像にて閲覧可能に構成してある画像読取装置において、
記録媒体への画像データの記録を監視する監視手段と、
記録媒体に画像データが記録された場合、画像データに関する所定処理を実行する画像処理手段の負荷を検出する負荷検出手段と、
該負荷検出手段によって検出した負荷が所定負荷以上であるか否かを判定する負荷判定手段と、
該負荷判定手段が否と判定した場合、前記記録媒体に記録された画像データに基づいて縮小画像のデータを生成する縮小画像生成手段と、
該縮小画像生成手段が生成したデータを記録媒体に記録する手段と
を備えることを特徴とする画像読取装置。
【請求項２】
前記画像データに縮小画像のデータが含まれているか否かを判定する判定手段を備え、
前記縮小画像生成手段は、
前記判定手段が否と判定した場合、縮小画像のデータを生成するようにしてある
ことを特徴とする請求項１に記載の画像読取装置。
【請求項３】
画像データが複数頁の画像のデータを含むか否かを判定する頁数判定手段を備え、
前記縮小画像生成手段は、
該頁数判定手段が複数頁の画像のデータを含むと判定した場合、一部の画像のデータに基づいて縮小画像のデータを生成するようにしてある
ことを特徴とする請求項１又は請求項２に記載の画像読取装置。
【請求項４】
原稿を読み取って取得したカラーの画像データを記録媒体に記録し、記録されたカラーの画像データに基づいて単色の画像データを出力可能に構成してある画像読取装置において、
記録媒体への画像データの記録を監視する監視手段と、
記録媒体にカラーの画像データが記録された場合、カラーの画像データに関する所定処理を実行する画像処理手段の負荷を検出する負荷検出手段と、
該負荷検出手段によって検出した負荷が所定負荷以上であるか否かを判定する負荷判定手段と、
該負荷判定手段が否と判定した場合、前記記録媒体に記録されたカラーの画像データに基づいて、単色の画像データを生成する単色画像生成手段と、
該単色画像生成手段が生成した単色の画像データを記録媒体に記録する手段と
を備えることを特徴とする画像読取装置。
【発明の詳細な説明】
【技術分野】
【０００１】
本発明は、原稿を読み取って取得した画像データを記録媒体に記録し、記録された画像データの内容を縮小画像にて閲覧可能に構成してある画像読取装置に関する。
【背景技術】
【０００２】
近年、ハードディスクドライブを備えた複合機が実用化されている。該複合機は、スキャナで読み取って取得した画像データをハードディスクに記録することができ、使用者は記録された画像データを用いて印刷、ファクシミリ送信等を行うことができる。なお、画像データは複数の使用者が使用することを考慮して、各使用者に応じたディレクトリに振り分けられて記録される。
【０００３】
また、ハードディスクに記録されている画像データの内容を縮小画像（サムネイル画像）にて閲覧可能な複合機が提案されている。縮小画像のデータは、使用者の要求に対して迅速に表示できるように、元の画像データを記録すると同時に生成されて記録媒体に記録される。
【０００４】
一方、特許文献１には、複数の圧縮伸張部と、各圧縮伸張部専用の画像メモリとを備え、縮小画像生成用の圧縮伸張部及び画像メモリを適切に選択することにより、優先度の高いジョブの進行が縮小画像の生成処理によって阻害されないように構成された複合機が提案されている。
【０００５】
また、特許文献２には、複数頁の画像データに基づいて縮小画像を生成する場合、全ページについて縮小画像を生成せずに１頁目又は使用者に指定された特定頁の縮小画像のみを生成し、該縮小画像の表示中に前記頁と関連性が高い他の頁の縮小画像のデータを生成するように構成された複合機が提案されている。該複合機によれば、閲覧される可能性が高い縮小画像のデータを効率的に生成し、縮小画像を迅速に表示することができる。
【特許文献１】特開２００６−１１５０００号公報
【特許文献２】特開２００５−２０４０１８号公報
【発明の開示】
【発明が解決しようとする課題】
【０００６】
しかしながら、従来の複合機においては、他のジョブの存在に関わらず、画像データの記録と同時に縮小画像を生成する構成であるため、他のジョブの進行を阻害する虞があった。
また、特許文献１においては、複数の圧縮伸張部及び画像処理メモリを備える必要があるため、高コストになるという問題があった。
更に、特許文献２においては、縮小画像を表示する際に閲覧される画像データを予測して生成する構成であるため、予測が外れた場合、他のジョブの進行を阻害する虞があった。
【０００７】
一方、ハードディスクに記録されたカラーの画像データに基づいて、単色画像を出力する複合機においても、使用者の要求に対して単色画像を迅速に出力するように構成する場合、同様の問題が生ずる。
【０００８】
本発明は斯かる事情に鑑みてなされたものであり、記録媒体に対する画像データの記録を監視すると共に画像処理に関する負荷を検出し、負荷が所定負荷未満の場合に縮小画像を生成するように構成することにより、優先度が高い他のジョブの進行を阻害すること無く、縮小画像のデータを準備し、縮小画像を迅速に表示することができる低コストの画像読取装置を提供することを目的とする。
【０００９】
本発明の他の目的は、記録媒体に記録された画像データに縮小画像のデータが含まれているか否かを判定し、否と判定した場合、縮小画像のデータを生成するように構成することにより、効率的に縮小画像を生成し、縮小画像を迅速に表示することができる画像読取装置を提供することにある。
【００１０】
本発明の他の目的は、画像データが複数頁の画像のデータを含む場合、その一部の画像の縮小画像を生成するように構成することにより、無駄な処理を実行せず、効率的に縮小画像を生成し、縮小画像を迅速に表示することができる画像読取装置を提供することにある。
【００１１】
本発明の他の目的は、記録媒体に対するカラー画像データの記録を監視すると共に画像処理に関する負荷を検出し、負荷が所定負荷未満の場合にカラーの画像データに基づいて単色の画像データを生成することにより、優先度が高い他のジョブの進行を阻害すること無く、単色の画像データを準備し、単色画像を迅速に出力することができる画像読取装置を提供することにある。
【課題を解決するための手段】
【００１２】
第１発明に係る画像読取装置は、原稿を読み取って取得した画像データを記録媒体に記録し、記録された画像データの内容を縮小画像にて閲覧可能に構成してある画像読取装置において、記録媒体への画像データの記録を監視する監視手段と、記録媒体に画像データが記録された場合、画像データに関する所定処理を実行する画像処理手段の負荷を検出する負荷検出手段と、該負荷検出手段によって検出した負荷が所定負荷以上であるか否かを判定する負荷判定手段と、該負荷判定手段が否と判定した場合、前記記録媒体に記録された画像データに基づいて縮小画像のデータを生成する縮小画像生成手段と、該縮小画像生成手段が生成したデータを記録媒体に記録する手段とを備えることを特徴とする。
【００１３】
第１発明にあっては、監視手段は記録媒体への画像データの記録を監視している。負荷検出手段は、新たな画像データが記録された場合、縮小画像を生成する余裕があるか否かを判断すべく、画像処理手段の負荷を検出する。負荷判定手段は、負荷検出手段の検出結果に基づいて画像処理手段の負荷が所定負荷以上であるか否かを判定する。所定負荷以上の場合、縮小画像の生成によって、他の処理の進行が阻害される虞がある。
そこで、縮小画像生成手段は、負荷判定手段が所定負荷未満であると判定した場合、新たに記録された画像データに基づいて縮小画像のデータを生成し、負荷判定手段が所定負荷以上であると判定した場合、縮小画像のデータを生成しない。
従って、他の処理の進行を阻害すること無く、縮小画像のデータを生成することができる。また、縮小画像のデータを低負荷時に生成して記録媒体に記録しておくことにより、縮小画像の閲覧を迅速に行うことができる。
なお、記録媒体は画像読取装置が備える場合のみならず、画像読取装置の外部に用意する場合も含む。また、縮小画像の閲覧は画像読取装置が縮小画像を表示する場合のみならず、外部装置へ縮小画像を出力することで縮小画像を表示する場合も含む。
【００１４】
第２発明に係る画像読取装置は、前記画像データに縮小画像のデータが含まれているか否かを判定する判定手段を備え、前記縮小画像生成手段は、前記判定手段が否と判定した場合、縮小画像のデータを生成するようにしてあることを特徴とする。
【００１５】
第２発明にあっては、判定手段は、新たに記録された画像データに縮小画像のデータが含まれているか否かを判定する。縮小画像生成手段は、判定手段が否と判定した場合、縮小画像のデータを生成する。
従って、縮小画像のデータが無駄に生成されることは無く、効率的に縮小画像を生成することができる。
【００１６】
第３発明に係る画像読取装置は、画像データが複数頁の画像のデータを含むか否かを判定する頁数判定手段を備え、前記縮小画像生成手段は、該頁数判定手段が複数頁の画像のデータを含むと判定した場合、一部の画像のデータに基づいて縮小画像のデータを生成するようにしてあることを特徴とする。
【００１７】
第３発明にあっては、頁数判定手段は、画像データが複数頁の画像のデータを含むか否かを判定する。一般に、一部の画像の内容を確認することにより、他の頁の内容を推認することができるため、縮小画像生成手段は、複数頁の画像の内、一部の頁の縮小画像のデータを生成する。
従って、縮小画像のデータが無駄に生成されることは無く、内容確認に必要な縮小画像を効率的に生成することができる。
【００１８】
第４発明に係る画像読取装置は、原稿を読み取って取得したカラーの画像データを記録媒体に記録し、記録されたカラーの画像データに基づいて単色の画像データを出力可能に構成してある画像読取装置において、記録媒体への画像データの記録を監視する監視手段と、記録媒体にカラーの画像データが記録された場合、カラーの画像データに関する所定処理を実行する画像処理手段の負荷を検出する負荷検出手段と、該負荷検出手段によって検出した負荷が所定負荷以上であるか否かを判定する負荷判定手段と、該負荷判定手段が否と判定した場合、前記記録媒体に記録されたカラーの画像データに基づいて、単色の画像データを生成する単色画像生成手段と、該単色画像生成手段が生成した単色の画像データを記録媒体に記録する手段とを備えることを特徴とする。
【００１９】
第４発明にあっては、監視手段は記録媒体への画像データの記録を監視している。負荷検出手段は、新たなカラーの画像データが記録された場合、単色の画像データを生成する余裕があるか否かを判断すべく、画像処理手段の負荷を検出する。負荷判定手段は、負荷検出手段の検出結果に基づいて画像処理手段の負荷が所定負荷以上であるか否かを判定する。所定負荷以上の場合、単色の画像データの生成によって、他の処理の進行が阻害される虞がある。
そこで、単色画像生成手段は、負荷判定手段が所定負荷未満であると判定した場合、新たに記録された画像データの単色の画像データを生成し、負荷判定手段が所定負荷以上であると判定した場合、単色の画像データを生成しない。
従って、他の処理の進行を阻害すること無く、単色の画像データを生成することができる。また、単色の画像データを低負荷時に生成しておくことにより、単色画像の出力を迅速に行うことができる。
【発明の効果】
【００２０】
第１発明によれば、優先度が高い他のジョブの進行を阻害すること無く、記録媒体に記録された画像データの内容を確認するための縮小画像を準備し、縮小画像を迅速に表示することができ、しかも低コストで構成することができる。
【００２１】
第２発明によれば、縮小画像のデータが含まれていない画像データの縮小画像を生成するように構成することにより、記録媒体に記録された画像データの内容を確認するための縮小画像を効率的に生成し、縮小画像を迅速に表示することができる。
【００２２】
第３発明によれば、複数頁の画像のデータを含む場合、その一部の画像の縮小画像を生成するように構成することにより、無駄な処理を実行せず、効率的に縮小画像を生成し、縮小画像を迅速に表示することができる。
【００２３】
第４発明によれば、優先度が高い他のジョブの進行を阻害すること無く、単色の画像データを準備し、単色画像を迅速に出力することができ、しかも低コストで構成することができる。
【発明を実施するための最良の形態】
【００２４】
以下、本発明をその実施の形態を示す図面に基づいて詳述する。
（実施の形態１）
図１は、本発明の実施の形態１に係る複合機１（画像読取装置）を備えた、ネットワークスキャナシステムの構成を示すブロック図である。実施の形態１に係るネットワークスキャナシステムは、スキャナ機能、コピー機能等を有する複合機１と、記憶装置３３を備えた端末装置３とから構成されており、複合機１及び端末装置３はＬＡＮ４を介して接続されている。
【００２５】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に形成、つまり印刷するプリンタ部１５を備えている。制御部１１は、バス２５を介して画像データの取得及び形成を制御することで、コピー機能を実現するように構成されている。
【００２６】
バス２５には、ＲＯＭ１８及びＲＡＭ２０が接続されている。ＲＯＭ１８は、フラッシュメモリからなり、複合機１の動作に必要な各種制御プログラムを格納している。制御部１１は、ＲＯＭ１８に格納されている制御プログラムをＲＡＭ２０に読み出して実行することにより、複合機１のコピー機能、ネットワークスキャナ機能、プリンタ機能等の各種機能を実現する。
【００２７】
読取部１３は、原稿に光を照射する光源、原稿で反射された反射光を電気信号に変換する４ラインカラーＣＣＤ（Charge Coupled Devices）等の光学素子を備えており、４ラインカラーＣＣＤが変換した電気信号に基づいて原稿の画像データを取得する。そして、読取部１３は、取得した画像データを画像メモリ１６に与える。なお、４ラインカラーＣＣＤは、ＲＧＢの各カラー用センサ、単色専用のセンサを有しており、読取部１３は、ＲＧＢの光を受光することによりカラーの画像データを取得する機能も備えている。また、４ラインカラーＣＣＤは一例であり、３ラインカラーＣＣＤで読取部１３を構成しても良い。
【００２８】
プリンタ部１５は、感光ドラム、定着器等を備える電子写真方式のプリンタ装置であって、画像形成処理用のプログラムを格納した図示しないフラッシュＲＯＭを備えており、フラッシュＲＯＭに格納されたプログラムに従って、画像データに係る画像を用紙に形成する。なお、プリンタ部１５は、カラーの画像データに基づいてカラー画像を印刷するカラー印刷機能と、単色の画像データに基づいて単色画像を印刷する単色印刷機能を備えている。
【００２９】
また、複合機１は、読取部１３で読み取って取得した画像データを蓄積する記憶装置２４、バス２５に接続されたＬＡＮインタフェース２１を備えている。
【００３０】
記憶装置２４は例えばハードディスクであり、読取部１３で読み取って取得した画像データを蓄積することができる。なお、複数の使用者毎にディレクトリを用意し、使用者毎に画像データを区分けして蓄積する機能を備えている。
【００３１】
ＬＡＮインタフェース２１には、ＬＡＮ４を介して端末装置３が接続されている。複合機１は、端末装置３からＬＡＮインタフェース２１及びＬＡＮ４を介して送信された画像データを記憶装置２４に記憶することができる。また、複合機１は、読取部１３で取得した画像データを、端末装置３へ送信し、端末装置３が備える記憶装置３３（図２参照）に記憶させる機能も備えている。例えば、複合機１及び端末装置３は、所定のファイル共有プロトコル、例えばＣＩＦＳ（Common Internet File System）にてファイルに関する情報、画像データを送受信することによって、画像データを共有するように構成されている。
【００３２】
更に、複合機１は、ファクシミリ通信により画像データを送受信するためのＮＣＵ（Network Control Unit）１２及びモデム１４、並びに送受信される画像データを所定の符号化方式、例えばＭＨ，ＭＲ，ＭＭＲ等の符号化方式に従って符号化及び復号化する符号化・復号化部２２を備えており、制御部１１は、画像データの送受信、原稿の読み取り、画像形成を制御することで、ファクシミリ機能を実現する。
【００３３】
モデム１４は、バス２５に接続されており、公衆電話回線網（PSTN:Public Switched Telephone Network）から入力されたアナログの画像データをデジタルの画像データに復調し、また制御部１１の制御によってバス２５を介して画像メモリ１６から与えられた画像データをアナログの信号に変調する機能を備えている。
【００３４】
ＮＣＵ１２は、公衆電話回線網との回線５の閉結及び開放の動作を行うハードウェアであり、制御部１１の制御に応じてモデム１４とＰＳＴＮとを接続する。
【００３５】
符号化・復号化部２２は、制御部１１の制御に応じて、読取部１３が読み取った画像データを符号化して、符号化した画像データをモデム１４に与える。また、符号化・復号化部２２は、ファクシミリ通信にて受信した画像データを復号化して、画像メモリ１６に蓄える。
【００３６】
また、バス２５には、複合機１を操作するための操作部１９、表示部１７、及び日時を計時する時計部２３が接続されている。表示部１７は、表示画像のデータを一時記憶するメモリ１７ａを備えており、複合機１の動作状態、複合機１を操作するためのソフトキー、縮小画像を表示する液晶ディスプレイを備えている。縮小画像は、いわゆるサムネイル画像であり、記憶装置２４，３３が記憶している画像データを間引き処理等することで得られた小サイズの画像である。
【００３７】
操作部１９は、表示部１７に対向配置された抵抗膜方式、又は静電容量方式のタッチパネルを備え、表示部１７に表示されたソフトキーの操作を受け付け、制御部１１がタッチパネルの操作状態を検出することができるように構成されている。
また、操作部１９は、押しボタン式のキー、例えば印刷する画像の部数を設定するためのテンキー、スタートキー等を備えている。
【００３８】
図２は、端末装置３の構成を示すブロック図である。
端末装置３は、例えばパーソナルコンピュータであり、タイマー機能を有する制御部３１、ＲＯＭ３２、ＲＡＭ３４、記憶装置３３、及びＬＡＮインタフェース３５を備えており、ＲＯＭ３２、ＲＡＭ３４、記憶装置３３、及びＬＡＮインタフェース３５は、バス３８を介して制御部３１に接続されている。端末装置３と、外部の複合機１とは、ＬＡＮ４を介して、各種データを送受信することができるように構成されている。
記憶装置３３は、例えばハードディスクから構成されており、記憶装置３３は、ＬＡＮ４を介して複合機１からアクセス可能な共有フォルダ、複合機１で読み取って取得した画像データを記憶することができる。ＲＯＭ３２及び記憶装置３３は、制御部３１の動作に必要なプログラムを記憶しており、制御部３１は、ＲＯＭ３２及び記憶装置３３が記憶しているプログラムをＲＡＭ３４に読み出して実行することにより、記憶装置２４，３３が記憶している画像データの縮小画像による閲覧等を制御するように構成されている。
【００３９】
更に、バス３８には、液晶ディスプレイ等の表示装置６が接続される第１インタフェース３６と、マウス、キーボード等の入力装置７が接続される第２インタフェース３７とが接続されている。
【００４０】
図３及び図４は、縮小画像の生成に係る制御部１１の処理手順を示すフローチャート、図５は、縮小画像の生成に係る処理のタイミングチャートである。図５（ａ）は制御部１１の負荷を示しており、横軸は時間、縦軸は制御部１１の負荷である。図５（ｂ）は、縮小画像生成のタイミングを示しており、横軸は時間である。
制御部１１は、監視対象の記憶装置２４又は記憶装置３３からファイル管理情報を取得し（ステップＳ１１）、新たな画像データが記録されているか否かを判定する（ステップＳ１２）。新たな画像データが記録されていないと判定した場合（ステップＳ１２：ＮＯ）、制御部１１は、処理をステップＳ１１に戻す。
【００４１】
新たな画像データが記録されていると判定した場合（ステップＳ１２：ＹＥＳ）、制御部１１は、新たに記録された画像データが縮小画像を含む画像データであるか否かを判定する（ステップＳ１３）。具体的には、制御部１１は、新たに記録された画像データのファイルが、画像データ本体に加えて、縮小画像の画像データを含むファイルであるか否かを判定することができる。例えば、Ｅｘｉｆ形式のファイルは、ＪＰＥＧに準拠した画像データ本体と、縮小画像、いわゆるサムネイル画像のデータとを包含しており、制御部１１は、Ｅｘｉｆファイルを参照することにより、縮小画像を含む画像データであるか否かを判定する。
なお、画像データのファイル中に、縮小画像の画像データが包含されている場合を例示したが、制御部は、新たに記録された画像データのファイル（メインファイル）が、該ファイルに関連付けた縮小画像のファイル（サブファイル）を伴うものであるか否かを判定することもできる。即ち、制御部１１は、新たに記録された画像データが、互いに関連付けられた画像データ本体を含む第１ファイル（メインファイル）と、縮小画像を含む第２ファイル（サブファイル）とを含むか否かを判定することができる。
【００４２】
縮小画像を含むと判定した場合（ステップＳ１３：ＹＥＳ）、制御部１１は、縮小画像の生成に係る処理を終える。縮小画像を含まないと判定した場合（ステップＳ１３：ＮＯ）、制御部１１は、新たに記録された画像データが複数頁の画像を含むか否かを判定する（ステップＳ１４）。
【００４３】
複数頁の画像を含むと判定した場合（ステップＳ１４：ＹＥＳ）、制御部１１は負荷を検出し（ステップＳ１５）、図５（ａ）に示すように制御部１１の負荷が所定負荷以上であるか否かを判定する（ステップＳ１６）。所定負荷以上であると判定した場合（ステップＳ１６：ＹＥＳ）、制御部１１は縮小画像の生成に係る処理を一時停止して他の処理を実行し（ステップＳ１７）、処理をステップＳ１５に戻す。
【００４４】
所定負荷未満であると判定した場合（ステップＳ１６：ＮＯ）、制御部１１は、１頁目の画像の縮小画像データを生成する（ステップＳ１８）。次いで、制御部１１は、縮小画像データの生成を終了したか否かを判定する（ステップＳ１９）。縮小画像データの生成を終了したと判定していないと判定した場合（ステップＳ１９：ＮＯ）、制御部１１は、処理をステップＳ１５に戻す。
【００４５】
縮小画像データの生成を終了したと判定した場合（ステップＳ１９：ＹＥＳ）、制御部１１は、生成された縮小画像データを、新たな画像データが記録された記憶装置２４又は記憶装置３３に記録し（ステップＳ２０）、処理を終える。なお、縮小画像データは、新たな画像データと同一ファイル内に含有させ、又は新たな画像データと関連付けて別ファイルとして記録する。
【００４６】
ステップＳ１４において単頁の画像データであると判定した場合（ステップＳ１４：ＮＯ）、制御部１１は、負荷を検出し（ステップＳ２１）、図５（ａ）に示すように制御部１１の負荷が所定負荷以上であるか否かを判定する（ステップＳ２２）。所定負荷以上であると判定した場合（ステップＳ２２：ＹＥＳ）、制御部１１は縮小画像の生成に係る処理を一時停止して他の処理を実行し（ステップＳ２３）、処理をステップＳ２１に戻す。
【００４７】
所定負荷未満であると判定した場合（ステップＳ２２：ＮＯ）、制御部１１は、画像データの縮小画像データを生成する（ステップＳ２４）。次いで、制御部１１は、縮小画像データの生成を終了したか否かを判定する（ステップＳ２５）。縮小画像データの生成を終了していないと判定した場合（ステップＳ２５：ＮＯ）、制御部１１は、処理をステップＳ２１に戻す。
【００４８】
縮小画像データの生成を終了したと判定した場合（ステップＳ２５：ＹＥＳ）、制御部１１は、生成された縮小画像データを、新たな画像データが記録された記憶装置２４又は記憶装置３３に記録し（ステップＳ２０）、処理を終える。
【００４９】
複合機１は、記憶装置２４，３３に記録されている画像データの閲覧指示を受けた場合、記憶装置２４，３３に前もって生成しておいた縮小画像データを画像表示用のメモリ１７ａ読み出して、表示部１７に表示させる。
【００５０】
実施の形態１に係る複合機１にあっては、図５（ｂ）に示すように、制御部１１の負荷が所定負荷未満の場合に縮小画像のデータを生成するため、優先度が高い他のジョブの進行を阻害すること無く、記憶装置２４，３３に記録された画像データの内容を確認するための縮小画像を準備し、縮小画像を迅速に表示することができ、しかも低コストで構成することができる。
【００５１】
また、記憶装置２４，３３に記録された画像データの内容を確認するための縮小画像を効率的に生成し、縮小画像を迅速に表示することができる。
【００５２】
更に、縮小画像のデータが含まれていない画像データの縮小画像を生成するように構成することによって、無駄な処理を実行せず、効率的に縮小画像を生成し、縮小画像を迅速に表示することができる。
【００５３】
なお、実施の形態１にあっては、制御部が縮小画像を生成する場合を説明したが、縮小画像を生成する専用のハードウェアを備え、制御部が該ハードウェアを制御することで縮小画像を生成するように構成しても良い。
但し、制御部がソフト的に縮小画像を生成するように構成した方が低コストで複合機１を構成することができる。ソフト的に縮小画像を生成する場合、制御部の処理負担が問題となるが、本発明によれば、他の優先度の高いジョブの進行を阻害すること無く、縮小画像を生成することができ、上述の問題は生じない。
【００５４】
また、実施の形態１にあっては、表示部に縮小画像を表示するように構成されているが、閲覧可能であれば、縮小画像の出力方法は表示部への表示に限定されない。端末装置からの要求に応じて縮小画像の画像データを端末装置へ送信して表示装置に表示するように構成しても良い。
【００５５】
（実施の形態２）
図６は、単色画像の生成に係る制御部１１の処理手順を示すフローチャートである。実施の形態２に係る複合機１は、実施の形態１に係る複合機１と同様の構成であり、処理内容のみが異なるため、以下では主に上記相違点を説明する。
【００５６】
制御部１１は、監視対象の記憶装置２４又は記憶装置３３からファイル管理情報を取得し（ステップＳ１１１）、新たな画像データが記録されているか否かを判定する（ステップＳ１１２）。新たな画像データが記録されていないと判定した場合（ステップＳ１１２：ＮＯ）、制御部１１は、処理をステップＳ１１１に戻す。
【００５７】
新たな画像データが記録されていると判定した場合（ステップＳ１１２：ＹＥＳ）、制御部１１は、カラーの画像データであるか否かを判定する（ステップＳ１１３）。カラーの画像データでないと判定した場合（ステップＳ１１３：ＮＯ）、制御部１１は、単色画像の生成に係る処理を終える。
【００５８】
カラーの画像データであると判定した場合（ステップＳ１１３：ＹＥＳ）、制御部１１は、負荷を検出し（ステップＳ１１４）、所定負荷以上であるか否かを判定する（ステップＳ１１５）。所定負荷以上であると判定した場合（ステップＳ１１５：ＹＥＳ）、制御部１１は単色画像の生成に係る処理を一時停止して他の処理を実行し（ステップＳ１１６）、処理をステップＳ１１４に戻す。
【００５９】
所定負荷未満であると判定した場合（ステップＳ１１５：ＮＯ）、制御部１１は、カラーの画像データに基づいて、単色の画像データを生成する（ステップＳ１１７）。次いで、制御部１１は、単色の画像データの生成を終了したか否かを判定する（ステップＳ１１８）。単色の画像データの生成を終了したと判定していないと判定した場合（ステップＳ１１８：ＮＯ）、制御部１１は、処理をステップＳ１１４に戻す。
【００６０】
単色の画像データの生成を終了したと判定した場合（ステップＳ１１８：ＹＥＳ）、制御部１１は、生成した単色の画像データを記憶装置２４又は記憶装置３３に記録し（ステップＳ１１９）、処理を終える。なお、単色の画像データは、新たな画像データと同一ファイル内に含有させ、又は新たな画像データと関連付けて記録する。
【００６１】
複合機１は、記憶装置２４，３３に記録されている画像データの単色印刷を指示された場合、記憶装置２４，３３に前もって生成しておいた単色画像データを読み出して、印刷する。
【００６２】
実施の形態２に係る複合機１にあっては、優先度が高い他のジョブの進行を阻害すること無く、単色の画像データを準備し、単色画像を迅速に出力、例えば印刷することができ、しかも低コストで構成することができる。
なお、単色画像を印刷する例を説明したが、出力方法は印刷に限定されない。例えば、単色の画像を表示部１７に表示し、外部送信しても良い。
【００６３】
実施の形態２に係る複合機１の他の構成、作用及び効果は、実施の形態１に係る複合機１の構成、作用及び効果と同様であるため、対応する箇所には同様の符号を付して詳細な説明を省略する。
【図面の簡単な説明】
【００６４】
【図１】本発明の実施の形態１に係る複合機（画像読取装置）を備えた、ネットワークスキャナシステムの構成を示すブロック図である。
【図２】端末装置の構成を示すブロック図である。
【図３】縮小画像の生成に係る制御部の処理手順を示すフローチャートである。
【図４】縮小画像の生成に係る制御部の処理手順を示すフローチャートである。
【図５】縮小画像の生成に係る処理のタイミングチャートである。
【図６】単色画像の生成に係る制御部の処理手順を示すフローチャートである。
【符号の説明】
【００６５】
１  複合機
３  端末装置
４  ＬＡＮ
５  回線
６  表示装置
７  入力装置
１１  制御部
１２  ＮＣＵ
１３  読取部
１４  モデム
１５  プリンタ部
１６  画像メモリ
１７  表示部
１９  操作部
２１  ＬＡＮインタフェース
２２  符号化・復号化部
２３  時計部
２４  記憶装置
３１  制御部
３３  記憶装置
３５  ＬＡＮインタフェース
【図１】
2008271136.tif 000003
【図２】
2008271136.tif 000004
【図３】
2008271136.tif 000005
【図４】
2008271136.tif 000006
【図５】
2008271136.tif 000007
【図６】
2008271136.tif 000008